(57)【要約】      （修正有）【課題】オンエア状態で急激な画角変化を抑制するために、ズームレンズの駆動速度を抑制するレンズ装置を提供する。【解決手段】ズーム部を有する撮影システムにおいて、オンエア状態もしくは録画状態の場合、撮影システムのズーム駆動速度の抑制を指示する速度抑制指令部を有すること特徴とする構成とした。【選択図】図１
2014236255.tif 000002
【特許請求の範囲】
【請求項１】
撮影状態により、ズーム速度の抑制を指示する速度抑制指令部を有する３Ｄ撮影システムにおいて、 
前記速度抑制指令部は、撮影映像の被写体距離、または被写界深度、または合焦位置、または３Ｄ映像の輻輳のクロスポイント位置に基づいて、ズーム速度の抑制を指示することを特徴とする３Ｄ撮影システム。 
【請求項２】
前記速度抑制指令部は、前記ズームの駆動速度を制御する速度指令生成部または、ズーム速度の抑制を表示する表示部へ、ズーム速度の抑制を指示することを特徴とする請求項1に記載の３Ｄ撮影システム。
【請求項３】
前記撮影システムの撮影映像において、被写界深度内の被写体が、前記輻輳のクロスポイント位置近傍にのみ存在する場合または、被写界深度内に被写体が存在しない場合または、フォーカスによる画角変化を抑制するCAFS機能が動作している場合、前記速度抑制指令部は、ズーム速度の抑制の指示を解除することを特徴とする請求項1又は請求項2に記載の３Ｄ撮影システム。 
【請求項４】
撮影状態により、撮影システムのズーム速度の抑制を指示する速度抑制指令装置を有する 
ことを特徴とする請求項1に記載の３Ｄ撮影システム。
【請求項５】
撮影状態により、ズーム速度の抑制を指示する速度抑制指令部を有する３Ｄ撮影システム用のレンズ装置において、 
前記速度抑制指令部は、撮影映像の被写体距離、または被写界深度、または合焦位置と、または３Ｄ映像の輻輳のクロスポイント位置に基づいて、ズーム速度の抑制を指示する
ことを特徴とするレンズ装置。
【請求項６】
撮影状態により、ズーム速度の抑制を指示する速度抑制指令部を有する３Ｄ撮影システム用のカメラ装置において、 
前記速度抑制指令部は、撮影映像の被写体距離、または被写界深度、または合焦位置と、または３Ｄ映像の輻輳のクロスポイント位置に基づいて、ズーム速度の抑制を指示する
ことを特徴とするカメラ装置。
【請求項７】
撮影状態により、ズーム速度の抑制を指示する速度抑制指令部を有する３Ｄ撮影システム用の速度抑制指令装置において、 
前記速度抑制指令装置は、撮影映像の被写体距離、または被写界深度、または合焦位置と、または３Ｄ映像の輻輳のクロスポイント位置に基づいて、ズーム速度の抑制を指示することを特徴とする速度抑制指令装置。
【発明の詳細な説明】
【技術分野】
【０００１】
本発明は、視聴者の負担にならないように、快適に映像を視聴するための技術に関し、特にズームの駆動速度の制御技術に関するものである。
【背景技術】
【０００２】
左右の両眼視差（以下、視差）を利用した、立体視用の映像を撮影する立体映像撮像システム（以下、３Ｄ撮影システム）では、立体視により、注目する像が飛び出したり、引込んだりする３Ｄ映像効果を得ることが出来る。
【０００３】
その一方、３Ｄ映像において、日常生活で経験しない（少ない）ような急激な画面変化があると、視聴者の空間識に混乱をきたし、交感神経が興奮することで、映像酔いが発生すると言われている。この問題は、以下の非特許文献1、2に開示されている。
【０００４】
このような急激な画面変化の要因は、パン・チルトによるカメラ撮影方向の急激な変化、３Ｄ映像に視差を与える輻輳角のクロスポイント位置の急激な変化、ズームによる焦点距離の急激な変化があり、従来、このクロスポイント位置の急激な変化を抑制するために、特許文献1のような、撮影する映像が持つ視差の変化を一定範囲内に抑える制御技術が開示されている。
【先行技術文献】
【特許文献】
【０００５】
【特許文献１】特開2002-84555号公報
【非特許文献】
【０００６】
【非特許文献１】「フラットパネルディスプレイの人間工学シンポジウム2007」  氏家弘裕「映像の安全性についての研究調査と標準化-PSS、VIMS、VFSI- 」http://home.jeita.or.jp/device/lirec/symposium/lcd_2007/doc/4A_ujike070215.pdf
【非特許文献２】松田隆夫  大中悠紀子「映像酔いの自覚的評価とその誘発要因」http://www.ritsumeihuman.com/uploads/publication/ningen_09/97.pdf
【発明の概要】
【発明が解決しようとする課題】
【０００７】
しかしながら、特許文献1では、ズームによる急激な焦点距離の変化で生じる映像酔いを取り除くことができない。そこで、この急激な焦点距離の変化を抑制するために、ズームの速度を抑制することが考えられるが、全ての条件下でズームの速度を抑制すると、運用上の様々な問題が新たに生じてしまう。
【０００８】
例えば、３Ｄ映像において、輻輳のクロスポイント付近にある被写体の撮影を行う場合では、被写体の視差が小さく映像酔いのしやすさは２D映像と大きな差は無い。そのため、２D映像撮影時と同等のズーム駆動速度で撮影することができる。
【０００９】
また、非オンエア状態では、視聴者は映像を視聴しないため映像酔いが生じることはない。そのため、通常のズーム駆動速度で操作することができる。
【００１０】
このように視聴者への弊害がない場面においてまで、ズーム駆動速度の抑制を行うと、撮影者の意図した撮影を行うことが困難である。
【００１１】
また、フォーカス駆動に対してズームを追従させることにより画角変化の抑制を行うCAFS制御の場合には、ズーム駆動速度の抑制を行うと本来の目的である画角変化の抑制を行うことができないという問題がある。 
【００１２】
そこで、本発明の目的は、
急激な画角変化による映像酔いを抑えるため、運用上の影響を最小限に留めながらズーム速度の抑制を行うレンズ装置を提供することである。 
【課題を解決するための手段】
【００１３】
上記目的を達成するために本発明は、
撮影状態により、ズーム速度の抑制を指示する速度抑制指令部を有する３Ｄ撮影システムにおいて、
前記速度抑制指令部は、撮影映像の被写体距離、または被写界深度、または合焦位置、または３Ｄ映像の輻輳のクロスポイント位置に基づいて、ズーム速度の抑制を指示する
ことを特徴とする３Ｄ撮影システムの構成をとる。
【発明の効果】
【００１４】
本発明によれば、撮影運用上の新たな課題を生むことなく、視聴者の映像酔いを取り除いた撮影システムを提供することができる。
【図面の簡単な説明】
【００１５】
【図１】実施例１の機能ブロック図
【図２】実施例１のレンズ位置と被写体位置の関係と要素を説明する図
【図３】実施例１のレンズ制御ＣＰＵ１２の動作フロー
【図４】実施例１の視差とズーム駆動速度上限値の関係を説明する図
【図５】実施例１のズーム駆動速度上限値の抑制条件を説明する図
【図６】実施例２の機能ブロック図
【図７】実施例２のレンズ制御ＣＰＵ１２の動作フロー
【図８】実施例３の機能ブロック図
【図９】実施例４のレンズ制御ＣＰＵ１２の動作フロー
【発明を実施するための形態】
【００１６】
以下に本発明の好ましい実施の形態を、添付の図面に基づいて詳細に説明する。
【００１７】
［実施例1］
以下、図１〜図５を用いて、本発明の第1の実施例を説明する。
【００１８】
まず、図１を用いて、本実施例に用いる撮影システムについて説明する。図1は本発明の撮影システムにおける機能ブロック図である。
【００１９】
図1に示す撮影システムは、主に、左右にある同構成の２個のレンズ装置１、レンズ操作装置３にて構成される。
【００２０】
レンズ装置１は主としてレンズ部１１、レンズ制御ＣＰＵ１２、ズーム駆動部１３、ズーム位置検出部１４、フォーカス位置検出部１５、アイリス位置検出部１６、輻輳位置検出部１７、抑制視差設定ＶＲ１８にて構成され、レンズを駆動させるレンズ装置である。
【００２１】
レンズ部１１は、ズーム部１１１、フォ-カス部１１２、アイリス部１１３、輻輳部１１４で構成されているレンズ群である。
【００２２】
レンズ制御ＣＰＵ１２は速度抑制指令部１２１、速度指令生成部１２２で構成され、レンズ部１１のレンズ駆動を制御するためのCPUである。
【００２３】
速度抑制指令部１２１はレンズ部１１の情報と抑制視差設定ＶＲ１８の情報を入力することで、ズーム駆動速度の速度抑制指令を出力する。また、速度指令生成部１２２は速度抑制指令部１２１の出力する速度抑制指令と、後述する操作指令生成部３２が出力する操作指令を入力することで、レンズを駆動させるための速度指令を生成する。
【００２４】
ズーム駆動部１３は速度指令生成部１２２の速度指令に基づいてズーム部１１１を駆動させる。
【００２５】
ズーム位置検出部１４、フォーカス位置検出部１５、アイリス位置検出部１６、輻輳位置検出部１７はそれぞれズーム部１１１、フォ-カス部１１２、アイリス部１１３、輻輳部１１４の位置検出を行う。
【００２６】
抑制視差設定VR 1８は速度抑制指令部１２１に対して、速度抑制を開始する視差量の設定を行う。
【００２７】
レンズ操作装置３は操作部材３１、操作指令部３２で構成されているレンズを操作するための装置である。
【００２８】
操作部材３１は撮影者が操作を行うサムリングという操作部材で、操作指令生成部３２は操作部材３１の操作量により、レンズを駆動させるための操作指令を生成する。
【００２９】
図２は本システムにおいて必要な要素を説明する図である。
【００３０】
図２において、Ａ、Ｂ、Ｃは被写体であり、被写体Bは合焦していることを示し、被写体Aと被写体Cは合焦しておらず映像がボケていることを示している。また、Pは被写体の位置である。
【００３１】
θはそれぞれ左右のレンズ装置１の輻輳角である。本実施例では左右のレンズ装置1の輻輳角は同期して動き、同じ値であるとして説明する。ｄは左右のレンズ装置1の基線長である。
【００３２】
Ｑはクロスポイントの位置であり、Ｘ１は抑制視差設定ＶＲ１８で設定した抑制視差量で、ＲＸ１はクロスポイント位置Ｑから視差が抑制視差量Ｘ１になるまでの距離である。
【００３３】
Ｈ１、Ｈ２は被写界深度範囲の位置を示す被写界深度幅であり、この範囲内にある被写体の映像は合焦している。
【００３４】
図３はレンズ装置1において、ズーム駆動速度を抑制する際のレンズ制御ＣＰＵ１２動作フローである。本実施例について図３を用いて説明する。
【００３５】
ステップＳＴ３０１で処理を開始し、ステップＳＴ３０２ではズーム位置検出手部１４、フォ-カス位置検出手部１５、アイリス位置検出手部１６、輻輳位置検出部１７から、それぞれズーム位置Ｚ、フォ-カス位置Ｆ、アイリス位置Ｉ、レンズ装置１の輻輳角θを取得する。
【００３６】
ステップＳＴ３０３では速度指令生成部１２２が、操作指令生成部３２から操作指令SUM_CTRLを取得する。
【００３７】
ステップＳＴ３０４では速度抑制指令部１２１により、ズーム位置Ｚ、フォーカス位置Ｆ、アイリス位置Ｉから被写界深度の範囲位置である被写界深度幅Ｈ１、Ｈ２を下式により算出する。
【００３８】
H1 ＝ f 1（Z、F、I）             （式1）
H2 ＝ f 2（Z、F、I）             （式2）
図２のように、被写界深度幅Ｈ１、Ｈ２の範囲内にある被写体Ｂは輪郭まではっきりと認識できるが、範囲外である被写体Ａ，Ｃの映像はボケる。
【００３９】
ステップＳＴ３０５では、被写体位置Ｐを算出する。本実施例では被写体位置に焦点が合っていると判断して、フォーカス位置Fより被写体位置Ｐを下式にて算出する。
【００４０】
P ＝ f 3（F）             （式3）
この時、被写体位置Ｐは撮影者が距離を測定し入力しても良い。
【００４１】
ステップＳＴ３０６では速度抑制指令部１２１により、被写界深度幅Ｈ１、Ｈ２の範囲内に被写体位置Ｐがあることを下式で識別する。
【００４２】
H1 ＜ P ＜ H2           （式4）
この範囲内に被写体がある場合には、被写体は輪郭まではっきり見えるため、急激な画角変化が起こった際には視聴者に映像酔いを与える可能性がある。この範囲より外側に被写体がある場合には、被写体はボケて見えるため、急激な画角変化が起こっても視聴者は認識することが出来ない。そのため、視聴者に映像酔いは起こりにくいと考えられる。
【００４３】
ステップＳＴ３０６の結果、被写界深度幅Ｈ１、Ｈ２の範囲内に被写体位置Ｐがあると判断された場合にはステップＳＴ３０７へ進み、被写体位置Ｐがないと判断された場合ステップＳＴ３１２へ進む。
【００４４】
ステップＳＴ３０７では速度抑制指令部１２１により、レンズ装置１の輻輳角θ、基線長ｄからクロスポイント位置Ｑを下式により算出する。
【００４５】
Q ＝ (d×θ/（θ＋θ）)×tan（90-θ） （式5）
この時、基線長ｄは撮影者が距離を測定し入力しても良いし、レンズ装置側で自動検出しても良い。
【００４６】
ステップＳＴ３０８では速度指令抑制部１２１が、抑制視差設定ＶＲ１８から抑制視差量Ｘ１を取得する。
【００４７】
ここで抑制視差量Ｘ１について説明する。
【００４８】
クロスポイント位置にある被写体は視差量が小さく３Ｄ映像であっても２Ｄ映像と同等の見え方ができるため、２Ｄ映像と同等に急激な画角変化を行っても映像酔いを起こす可能性が低い。
【００４９】
しかし、クロスポイント位置から被写体位置が遠くなるほど視差が大きくなり、２D映像と同等の見え方を保持できなくなる。そのような状態で２D映像と同等な急激な画角変化を行うと映像酔いを起こす可能性が高い。
【００５０】
そのため、ズーム駆動速度の抑制が必要な抑制視差量Ｘ１を設定し、その値より視差が大きくなった場合にはズーム駆動速度の抑制を行う。この値は撮影者が任意で設定することができる。
【００５１】
ステップＳＴ３０９では速度抑制指令部１２１により、抑制視差量Ｘ１から抑制開始距離ＲＸ１を算出する。抑制開始距離ＲＸ１とはクロスポイント位置Ｑから視差が抑制視差量Ｘ１と等しくなるまでの距離であり、下式で算出する。
【００５２】
RＸ１ ＝ (X1×θ/（θ+θ）)×tan（90-θ）      （式6）
ステップＳＴ３１０では、被写体位置Ｐがクロスポイント位置Ｑから抑制開始距離ＲＸ１の範囲内にあることを、下式より識別する。
【００５３】
Q - RX1 ＜ P ＜ Q + RX1           （式7）
ステップＳＴ３１０の結果、式７の範囲内に被写体位置Ｐがある場合にはステップＳＴ３１２へ進み、範囲内に被写体位置Pがない場合にはステップＳＴ３１１へ進む。
【００５４】
ステップＳＴ３１１では速度抑制指令部１２１により、ズーム駆動速度の上限値であるズーム駆動速度上限値Ｚ＿ＳＰＥＥＤ＿ＭＡＸの算出を行う。
【００５５】
図４は視差とズーム駆動速度上限値の関係を説明する図である。図４を用いて、ズーム駆動速度上限値の抑制について説明する。
【００５６】
図４において縦軸はズーム駆動速度上限値Ｚ＿ＳＰＥＥＤ＿ＭＡＸで、横軸は被写体位置Pである。
【００５７】
また、Ｚ＿ＳＰＥＥＤ１は抑制されていないズーム駆動速度上限値、Ｚ＿ＳＰＥＥＤ２は抑制されたズーム駆動速度上限値である。Ｚ＿ＳＰＥＥＤ１、Ｚ＿ＳＰＥＥＤ２はそれぞれ撮影者が任意の値を設定することができる。
【００５８】
図４の（A）では式７の範囲を超えた場合、抑制された一定のズーム駆動速度上限値に設定することを示した図である。この時の抑制されたズーム駆動速度上限値Ｚ＿ＳＰＥＥＤ＿ＭＡＸは下式により算出する。
【００５９】
Z_SPEED_MAX ＝ Z_SPEED2        （式8）
また、図４の（B）では式７の範囲を超えた場合、被写体の視差量に比例してズーム駆動速度上限値の抑制を行うことを示した図である。
【００６０】
図４の（B）のＲＸ２とは、視差量に比例したズーム駆動速度の抑制を終了する位置である。この比例抑制停止距離ＲＸ２は撮影者が任意の値を設定することができる。
【００６１】
被写体位置Pが下式範囲内にいる場合には、視差量に比例したズーム駆動速度上限値の抑制を行う。
【００６２】
Q - RX2 ＜ P ＜ Q - RX1  （式9）
Q + RX1 ＜ P ＜ Q + RX2 （式10）
この時の比例抑制されたズーム駆動速度上限値Ｚ＿ＳＰＥＥＤ＿ＭＡＸは下式により算出する。
【００６３】
Z_SPEED_MAX＝（｜P-Q｜／（RX2-RX1）×（Z_SPEED1 - Z_SPEED2））＋ Z_SPEED2 （式11）
被写体位置Pが下式範囲内にいる場合には、視差量に比例しないズーム駆動速度上限値の抑制を行う。
【００６４】
Q + RX2 ＜ P              （式12）
P ＜ Q - RX2              （式13）
この時のズーム駆動速度抑制指令Ｚ＿ＳＰＥＥＤ＿ＭＡＸは式８により算出する。
【００６５】
ステップＳＴ３１２では速度指令生成部１２２が、速度を抑制しないズーム駆動速度上限値Ｚ＿ＳＰＥＥＤ＿ＭＡＸを下式により算出する。
【００６６】
Z_SPEED_MAX ＝ Z_SPEED1   （式14）
ステップＳＴ３１３では速度指令生成部１２２が、操作指令ＳＵＭ＿ＣＴＲＬに基づき、且つズーム駆動速度上限値Ｚ＿ＳＰＥＥＤ＿ＭＡＸを超えない速度指令を生成して、ズーム駆動部１３に指令する。指令後はズーム駆動速度上限値Ｚ＿ＳＰＥＥＤ＿ＭＡＸを消去し、ステップＳＴ３０２へ戻る。
【００６７】
図５は実施例1のズーム駆動速度の抑制条件について説明する図である。図５を用いて、ズーム駆動速度抑制実施の条件について説明する。
【００６８】
図５において、（A）は被写界深度が浅く、且つクロスポイント位置Ｑに被写界深度範囲がある場合の図である。以降、図５の（A）について説明する。
【００６９】
被写体Ａのみがある場合には、クロスポイント位置Ｑから抑制開始距離RＸ１の外側に被写体Ａがあり視差は大きいが、被写界深度範囲にはなく合焦していないため、視聴者には被写体をはっきりと認識が出来ない。よってズーム速度の抑制は実施しない。
【００７０】
被写体Ｂのみがある場合には、クロスポイント位置Ｑから抑制開始距離RＸ１の範囲内に被写体Ｂがあり、視差が小さく２D映像との差が無いため、ズーム速度の抑制は実施しない。
【００７１】
被写体Ｃのみがある場合には、クロスポイント位置Ｑから抑制開始距離RＸ１の外側に被写体Ｃはあるが、合焦していない。よってズーム速度の抑制は実施しない。
【００７２】
図５において、（B）は被写界深度が浅く、且つ被写体A付近に被写界深度範囲がある場合の図である。以降、図５の（B）について説明する。
【００７３】
被写体Ａのみがある場合には、クロスポイント位置Ｑから抑制開始距離RＸ１の範囲外に被写体Ａはあり、合焦している。よってズーム速度の抑制を実施する。
【００７４】
被写体Ｂのみがある場合には、クロスポイント位置Ｑから抑制開始距離RＸ１の範囲内に被写体Ｂがあるため、ズーム速度の抑制は実施しない。
【００７５】
被写体Ｃのみがある場合には、クロスポイント位置Ｑから抑制開始距離RＸ１の範囲外に被写体Ｃはあるが、合焦していないためズーム速度の抑制は実施しない。
【００７６】
図５において、（C）は被写界深度が深く全ての被写体は合焦し、且つクロスポイント位置Ｑは被写体Ｂ付近にある場合の図である。以降、図５の（C）について説明する。
【００７７】
被写体Ａのみがある場合には、クロスポイント位置Ｑから抑制開始距離RＸ１の範囲外に被写体Ａはあり、合焦している。よってズーム速度の抑制を実施する。
【００７８】
被写体Ｂのみがある場合には、クロスポイント位置Ｑから抑制開始距離RＸ１の範囲内に被写体Ｂがあるため、ズーム速度の抑制は実施しない。
【００７９】
被写体Ｃのみがある場合には、クロスポイント位置Ｑから抑制開始距離RＸ１の範囲外に被写体Ｃはあり、合焦している。よってズーム速度の抑制を実施する。
【００８０】
図５において、（Ｄ）は被写界深度が深く全ての被写体は合焦し、且つクロスポイント位置Ｑ’は被写体Ａ付近にある場合の図である。以降、図５の（Ｄ）について説明する。
【００８１】
被写体Ａのみがある場合には、クロスポイント位置Ｑ’から抑制開始距離RＸ１’の範囲内に被写体Ａはあるため、ズーム速度の抑制は実施しない。
【００８２】
被写体Ｂのみがある場合には、クロスポイント位置Ｑ’から抑制開始距離RＸ１’の範囲内に被写体Ｂがあるため、ズーム速度の抑制は実施しない。
【００８３】
被写体Ｃのみがある場合には、クロスポイント位置Ｑ’から抑制開始距離RＸ１’の範囲外に被写体Ｃはあり、合焦しているためズーム速度の抑制を実施する。
【００８４】
このように、本実施例では被写体がクロスポイント位置から離れた場所にあり、且つ被写界深度範囲内にある場合にズーム駆動速度の抑制を行い、視聴者に映像酔いを与えないよう画角変化を抑えることができる。
【００８５】
本実施例では速度抑制指令部をレンズ制御ＣＰＵ内部に設けたが、別体型のズーム速度抑制装置を設けても良い。
【００８６】
また、被写界深度幅Ｈ１、Ｈ２を算出し、この範囲外では映像がボケると説明したが、範囲外であっても、人間の目では被写界深度幅Ｈ１、Ｈ２の２倍でも合焦しているように見えるため、算出された被写界深度幅Ｈ１、Ｈ２と異なる深度幅の範囲を設定しても良い。
【００８７】
本件では左右のレンズ装置１の輻輳角は同じ値であるとして説明したが、それぞれのレンズ装置の輻輳角が異なっていても同様に利用できる技術である。
【００８８】
［実施例２］
以下、図６〜図７を用いて、本発明の第２の実施例を説明する。
【００８９】
まず、図６を用いて、本実施例に用いる撮影システムについて説明する。なお、図１と同一構成部分については同一の符号をつけ説明を省略する。図６は本発明の撮影システムにおける機能ブロック図である。
【００９０】
図６において、１９は被写体との距離を測定する測距処理部である。この測距処理部１９にはレーザー測距や超音波測距がある。また、オートフォーカス機能を用いて測距しても良い。
【００９１】
図７はレンズ装置1のズーム駆動速度抑制をする際のレンズ制御CPU12動作フローである。本実施例について図７を用いて説明する。なお、図３と同一構成部分については同一の符号をつけ説明を省略する。
【００９２】
ステップST３０１〜ST３０４は説明を省略する。ステップＳＴ701では測距センサ１９により検出された被写体位置Pを取得する。
【００９３】
この時、被写体が複数あることを検出した場合にはステップＳＴ305で算出された被写界深度幅H1、H2の範囲にある被写体を選択し、被写体位置を取得する。
【００９４】
ステップST３０６〜ST３１３は説明を省略する。
【００９５】
［実施例3］
以下、図８〜図９を用いて、本発明の第３の実施例を説明する。
【００９６】
まず、図８を用いて、本実施例に用いる撮影システムについて説明する。なお、図６と同一構成部分については同一の符号をつけ説明を省略する。図８は本発明の撮影システムにおける機能ブロック図である。
【００９７】
図８において、２１は、オンエア状態を判定するオンエア判定部である。オンエア判定部では現在撮影している映像が、オンエア、録画等の映像を記憶、配信し、視聴者が視聴する可能性がある映像であることを判定する。
【００９８】
２１はCAFS機能の動作を行っているCAFS処理部である。CAFS機能とはフォ-カス駆動をさせた際に画角が変化するのを防ぐため、フォ-カス駆動に伴いズームを駆動させて画角変化を抑える機能である。
【００９９】
図９はレンズ装置1のズーム駆動速度抑制の許可を判断する際のレンズ制御CPU１２動作フローである。本実施例について図９を用いて説明する。なお、図７と同一構成部分については同一の符号をつけ説明を省略する。
【０１００】
ステップＳＴ３０１〜ST３０３の説明は省略する。
【０１０１】
ステップＳＴ９０１ではオンエア判定部２１により、撮影映像を視聴者が視聴する可能性があることを識別する。判定方法としては、タリーランプが点灯している場合にはオンエアであると判断し、消灯している場合にはオンエアではないと判断する。
【０１０２】
ステップＳＴ９０１でオンエアであると判定された場合にはステップＳＴ９０２へ進み、オンエアではないと判断された場合にはステップＳＴ３１２へ進む。
【０１０３】
ステップＳＴ９０２ではCAFS処理部のCAFS機能が動作していることを識別する。
【０１０４】
CAFS機能動作中の際、ズームは最高速で追従駆動を行う。しかし、CAFS機能中に本実施例のズーム駆動速度抑制を行うと、ズーム駆動速度が制限されてフォ-カス駆動に合わせた追従が出来なくなってしまい、画角変化の抑制を行うことができなくなる。
【０１０５】
ステップＳＴ９０１でＣＡＦＳ機能が動作していると判断された場合にはステップＳＴ２１３へ進み、ＣＡＦＳ機能が停止している場合にはステップＳＴ３０４へ進む。
【０１０６】
ステップST３０４〜ST３１３は説明を省略する。
【０１０７】
本実施例では、３Ｄ撮影システムでの映像酔いに対して説明してきたが、映像酔いは３Ｄ映像ほど顕著ではないものの２D映像においても急激な画角変化を行うことで同様に起こりうる可能性があることも知られている。
【０１０８】
本発明は形態を変えることにより、2D撮影システムにおいても応用することが可能な技術である。
【０１０９】
以上、本発明の好ましい実施形態について説明したが、本発明はこれらの実施形態に限定されず、その要旨の範囲内で種々の変形及び変更が可能である。
【符号の説明】
【０１１０】
1：レンズ装置 
3：レンズ操作装置 
11：レンズ部
111：ズーム部
112：フォ-カス部
113：アイリス部
114：輻輳部
12：レンズ制御CPU
121：速度抑制指令部
122：速度指令生成部
13：速度抑制許可SW
14：ズーム駆動部
15：ズーム位置検出部
16：フォ-カス位置検出部
17：アイリス位置検出部
18：輻輳位置検出部
19：抑制視差設定VR
21：レンズ制御CPU
31：操作部材
32：操作指令生成部
【図４】
2014236255.tif 000003
【図１】
2014236255.tif 000004
【図２】
2014236255.tif 000005
【図３】
2014236255.tif 000006
【図５】
2014236255.tif 000007
【図６】
2014236255.tif 000008
【図７】
2014236255.tif 000009
【図８】
2014236255.tif 000010
【図９】
2014236255.tif 000011